(57)【要約】【課題】見栄えを向上させながらも、板状部材を安定して支持し得る板状部材支持具の取付構造及びこれを用いて取り付けられる板状部材支持具を提供する。【解決手段】壁面２に沿うように配設される固定片部１６の上端部から前記壁面に垂直な方向に板状部材５を支持する支持片部１０を突出させるように設け、前記固定片部の下端側と前記支持片部の突出方向先端側とを接続するように斜め状に補強斜片部１２を設けた板状部材支持具１を前記壁面に沿わせるように取り付ける構造であって、厚さ方向を左右方向に沿わせた前記補強斜片部の前記固定片部側の端部における下端部を、前記固定片部とは非接続とされた非接続部１５とし、前記壁面を構成する壁面材３の裏面側に配設された壁下地４に一端側が固定された補強具８の他端側に、前記補強斜片部の前記非接続部を当接させた状態で前記板状部材支持具を取り付ける構造とされている。【選択図】図１
2015073771.tif 000002
【特許請求の範囲】
【請求項１】
壁面に沿うように配設される固定片部の上端部から前記壁面に垂直な方向に板状部材を支持する支持片部を突出させるように設け、前記固定片部の下端側と前記支持片部の突出方向先端側とを接続するように斜め状に補強斜片部を設けた板状部材支持具を前記壁面に沿わせるように取り付ける構造であって、
厚さ方向を左右方向に沿わせた前記補強斜片部の前記固定片部側の端部における下端部を、前記固定片部とは非接続とされた非接続部とし、
前記壁面を構成する壁面材の裏面側に配設された壁下地に一端側が固定された補強具の他端側に、前記補強斜片部の前記非接続部を当接させた状態で前記板状部材支持具を取り付ける構造とされていることを特徴とする板状部材支持具の取付構造。
【請求項２】
請求項１において、
前記固定片部の下端部に、前記補強具の他端側を受け入れる切欠状の位置決め凹所を設け、該固定片部の厚さ方向に見て、前記補強斜片部の非接続部を該位置決め凹所に位置させた構造としていることを特徴とする板状部材支持具の取付構造。
【請求項３】
請求項１または２において、
前記補強具の他端側に、前記壁面に当接されて当該補強具の前記壁下地側への移動を抑止する抑止部を設けていることを特徴とする板状部材支持具の取付構造。
【請求項４】
請求項１乃至３のいずれか１項において、
前記固定片部の上下寸法を、前記支持片部の突出寸法よりも小さい寸法としていることを特徴とする板状部材支持具の取付構造。
【請求項５】
請求項１乃至４のいずれか１項に記載の板状部材支持具の取付構造を用いて取り付けられる板状部材支持具。
【発明の詳細な説明】
【技術分野】
【０００１】
本発明は、板状部材を支持する板状部材支持具を壁面に沿わせるように取り付ける板状部材支持具の取付構造及びこれを用いて取り付けられる板状部材支持具に関する。
【背景技術】
【０００２】
従来より、壁面に固定される固定部から水平にカウンター天板等の板状部材の下面を支持する支持部を設け、これら固定部と支持部との間に補強用斜材を設けたカウンター用支持具（板状部材支持具）が知られている（例えば、下記特許文献１参照）。このような構成とすれば、支持部に掛かる板状部材及びこれに載置された物品等の荷重を補強用斜材によっても受けることができ、支持部及び固定部の薄型化等を図ることができるものではあった。
【先行技術文献】
【特許文献】
【０００３】
【特許文献１】特開２０１０−１１５３８９号公報
【発明の概要】
【発明が解決しようとする課題】
【０００４】
しかしながら、このような板状部材支持具は、言わば片持ち状に板状部材を支持する構造とされている。そのため、板状部材支持具には、板状部材及びこれに載置された物品等によって、固定部の下端側を概ね支点として支持部の先端側を下方側に向かわせようとするモーメントが作用する。また、住居等の建物内の壁面は、耐火性や防音性等を向上させる観点等から、石膏ボードやロックウールボード等のような比較的剛性の低い（脆弱な）壁面材によって構成される場合が多々ある。このような壁面に、板状部材支持具を沿わせて取り付けた場合において、耐荷重を超えた物品等が載置されたりした場合等に、補強用斜材が設けられていることも相俟って、固定部の下端側部位が壁面材に食い込むことが考えられた。また、このような固定部の壁面材への食い込みを抑制すべく、壁面に対する当接面積を増やすように固定部を大きくすることも考えられるが、固定部が目立ち易くなることが考えられる。
【０００５】
本発明は、上記実情に鑑みてなされたものであり、見栄えを向上させながらも、板状部材を安定して支持し得る板状部材支持具の取付構造及びこれを用いて取り付けられる板状部材支持具を提供することを目的としている。
【課題を解決するための手段】
【０００６】
上記目的を達成するために、本発明に係る板状部材支持具の取付構造は、壁面に沿うように配設される固定片部の上端部から前記壁面に垂直な方向に板状部材を支持する支持片部を突出させるように設け、前記固定片部の下端側と前記支持片部の突出方向先端側とを接続するように斜め状に補強斜片部を設けた板状部材支持具を壁面に沿わせるように取り付ける構造であって、厚さ方向を左右方向に沿わせた前記補強斜片部の前記固定片部側の端部における下端部を、前記固定片部とは非接続とされた非接続部とし、前記壁面を構成する壁面材の裏面側に配設された壁下地に一端側が固定された補強具の他端側に、前記補強斜片部の前記非接続部を当接させた状態で前記板状部材支持具を取り付ける構造とされていることを特徴とする。
【０００７】
本発明においては、前記固定片部の下端部に、前記補強具の他端側を受け入れる切欠状の位置決め凹所を設け、該固定片部の厚さ方向に見て、前記補強斜片部の非接続部を該位置決め凹所に位置させた構造としてもよい。
また、本発明においては、前記補強具の他端側に、前記壁面に当接されて当該補強具の前記壁下地側への移動を抑止する抑止部を設けてもよい。
また、本発明においては、前記固定片部の上下寸法を、前記支持片部の突出寸法よりも小さい寸法としてもよい。
【０００８】
また、上記目的を達成するために、本発明に係る板状部材支持具は、上記いずれかの本発明に係る板状部材支持具の取付構造を用いて取り付けられるものである。
【発明の効果】
【０００９】
本発明に係る板状部材支持具の取付構造及びこれを用いて取り付けられる板状部材支持具は、上述のような構成としたことで、見栄えを向上させながらも、板状部材を安定して支持することができる。
【図面の簡単な説明】
【００１０】
【図１】（ａ）は、本発明の一実施形態に係る板状部材支持具の取付構造の一例及びこれを用いて取り付けられる板状部材支持具の一例を模式的に示し、図２におけるＸ部に対応させた一部破断概略縦断面図、（ｂ）は、（ａ）に対応させて取付前の状態を示す一部破断概略縦断面図である。
【図２】図３（ａ）におけるＹ−Ｙ線矢視に対応させた一部破断概略縦断面図である。
【図３】（ａ）は、概略正面図、（ｂ）は、概略底面図である。
【発明を実施するための形態】
【００１１】
以下に本発明の実施の形態について、図面に基づいて説明する。
図１〜図３は、本実施形態に係る板状部材支持具の取付構造の一例及びこれを用いて取り付けられる板状部材支持具の一例を模式的に示す図である。
なお、以下の実施形態では、板状部材支持具を壁面に沿わせて設置した状態で、壁面に対面した状態を基準として、手前側を前方側、その逆側を後方側とし、また、その状態を基準として、上下方向及び左右方向の方向を説明する。
【００１２】
本実施形態に係る板状部材支持具１の取付構造を用いて取り付けられる本実施形態に係る板状部材支持具１は、図１〜図３に示すように、壁面２に沿うように配設される固定片部１６を備えている。また、板状部材支持具１は、この固定片部１６の上端部から壁面２に垂直な方向（前後方向）に突出するように設けられ板状部材５を支持する支持片部１０を備えている。また、板状部材支持具１は、固定片部１６の下端側と支持片部１０の突出方向先端側とを接続するように斜め状に設けられ、厚さ方向を左右方向に沿わせた補強斜片部１２を備えている。また、この補強斜片部１２の固定片部１６側の端部（固定片部側端部）１４における下端部を、固定片部１６とは非接続とされた非接続部１５としている。
本実施形態に係る板状部材支持具１の取付構造は、壁面２を構成する壁面材３の裏面側に配設された壁下地４に一端側が固定された補強具８の他端側に、補強斜片部１２の非接続部１５を当接させた状態で板状部材支持具１を取り付ける構造とされている。
【００１３】
この板状部材支持具１によって支持される板状部材５としては、種々の物品が載置される棚板やカウンター状の天板、飾り棚等としてもよく、または肘掛台や腰掛台等としてもよい。
本実施形態では、図３（ｂ）に示すように、板状部材支持具１を、左右方向に沿う寸法（幅寸法）が比較的に小さい寸法とされたものとし、板状部材５の左右方向に沿って適宜の間隔を空けて複数箇所に配設されるものとしている。
この板状部材支持具１が設置される壁面２としては、比較的剛性の低い（脆弱な）壁面材３によって構成されたものとしてもよい。このような壁面材３としては、例えば、石膏ボード（プラスターボード）やロックウールボード等の内装ボードとしてもよい。この壁面材３の表面を、壁面２として把握してもよく、この壁面材３の表面に貼着等されたクロス等の壁紙などの表面化粧材を壁面２として把握してもよい。
このような壁面材３は、図１及び図２に示すように、壁面材３よりも剛性の高い壁下地４に固定される。このような壁下地４としては、柱（間柱）や桟、胴縁、木摺、下地板等の木造間仕切下地としてもよく、スタッド（軽鉄）等の鋼製間仕切下地としてもよい。
【００１４】
支持片部１０は、図１及び図２に示すように、厚さ方向を上下方向に沿わせて配設される薄板状とされている。また、支持片部１０は、図３（ｂ）に示すように、突出方向（前後方向に沿う方向）に長尺状とされている。
本実施形態では、図３（ｂ）に示すように、この支持片部１０の固定片部１６側の基端部の左右方向に沿う寸法（幅寸法）よりも、突出方向先端側の幅寸法を小さい寸法としている。このような構成とすれば、固定片部１６側の基端部の強度を向上させながらも軽量化等を図ることができる。図例では、突出方向先端側の幅寸法を全長に亘って均一な寸法とし、基端部と突出方向先端側との幅方向両側の境界部を、厚さ方向に見て、突出方向先側に向かうに従い幅狭となるテーパー形状とした例を示している。なお、このような態様に代えて、支持片部１０を、全長に亘って均一の幅寸法とされたものとしてもよい。
【００１５】
また、支持片部１０には、当該支持片部１０に板状部材５を固定するためのねじや釘等の止具６が挿通される止具挿通孔１１が設けられている。本実施形態では、支持片部１０に、複数の止具挿通孔１１を設けている。図例では、支持片部１０の基端部及び突出方向先端部のそれぞれに、左右方向に間隔を空けて複数箇所（図例では、２箇所）に止具挿通孔１１，１１，１１，１１を設けた例を示している。また、図例では、これら止具挿通孔１１，１１，１１，１１を、止具６の頭部を収容するざぐり（皿孔）等の収容凹所を設けた形状としている。
上記した板状部材５は、この支持片部１０の止具挿通孔１１，１１，１１，１１を介して止着された止具６，６，６，６によって支持片部１０に固定される。
また、本実施形態では、これら複数の止具挿通孔１１，１１，１１，１１の形成位置を含み、当該支持片部１０を、左右対称状としている。
【００１６】
なお、この支持片部１０の突出寸法や幅寸法、厚さ寸法は、板状部材５の大きさ（前後寸法）や用途、板状部材支持具１の耐荷重、外観上の観点や、軽量化を図る観点等から適宜、設定するようにしてもよい。図例では、支持片部１０の突出寸法を、支持片部１０の幅寸法（基端部の幅寸法）の４倍程度とした例を示している。また、支持片部１０の突出方向先端側の幅寸法を、基端部の幅寸法の２／３程度とした例を示している。また、支持片部１０の厚さ寸法は、例えば、１ｍｍ〜２０ｍｍ程度としてもよい。
【００１７】
固定片部１６は、図１及び図２に示すように、厚さ方向を前後方向に沿わせて配設される薄板状とされている。また、固定片部１６は、図３（ａ）に示すように、上下方向に長尺状（縦長状）とされている。この固定片部１６は、図３に示すように、支持片部１０側の端部となる少なくとも上端部の幅寸法が支持片部１０の幅寸法（基端部の幅寸法）と同寸法とされている。
本実施形態では、図３（ａ）に示すように、この固定片部１６を、厚さ方向に見て、上端部から下端部に向かうに従い幅狭となるテーパー形状としている。なお、このような態様に代えて、固定片部１６を、全長に亘って均一の幅寸法とされたものとしてもよい。
【００１８】
また、固定片部１６には、固定片部１６（当該板状部材支持具１）を、壁面２（壁下地４）に固定するための止具７が挿通される止具挿通孔１７が設けられている。本実施形態では、固定片部１６に、複数の止具挿通孔１７を設けている。また、本実施形態では、固定片部１６の左右方向両端部のそれぞれに、上下方向に間隔を空けて複数箇所（図例では、５箇所）に止具挿通孔１７を設けている。この止具挿通孔は、少なくとも固定片部１６の上端部及び下端部における左右方向両端部のそれぞれに設けるようにしてもよい。図例では、固定片部１６の上側２／３程度の部位における左右方向両端部のそれぞれに、上下方向に間隔を空けて複数箇所（図例では、４箇所）に止具挿通孔１７を設け、固定片部１６の下端部の左右方向両端部に止具挿通孔１７を設けた例を示している。
また、図例では、これら止具挿通孔１７を、止具７の頭部を収容するざぐり（皿孔）等の収容凹所を設けた形状としている。
また、本実施形態では、これら複数の止具挿通孔１７の形成位置を含み、当該固定片部１６を、左右対称状としている。
当該板状部材支持具１は、固定片部１６の各止具挿通孔１７を介して壁下地４に止着された各止具７によって壁面２に沿うように固定される。
【００１９】
また、本実施形態では、固定片部１６の下端部に、補強具８の他端側を受け入れる切欠状の位置決め凹所１８を設けている。
補強具８は、本実施形態では、一端側が壁下地４に捩じ込まれる（打ち込まれる）ねじや釘等の壁面材３よりも剛性が高い止具とされている。図例では、補強具８を、皿ねじ状とした例を示している。
また、本実施形態では、補強具８の他端側に、壁面２に当接されて当該補強具８の壁下地４側への移動を抑止する抑止部９を設けている。本実施形態では、この抑止部９を、補強具８とは別体とされ、補強具８が挿通される挿通孔を設けた座金状部材としている。また、図例では、抑止部９に、皿ねじ状とされた補強具８の頭部を受け入れる皿孔状（ざぐり孔状）の収容凹所を設けた例を示している。
【００２０】
この抑止部９は、図１に示すように、補強具８と同軸状とされた略円柱（略円筒）形状とされている。また、本実施形態では、この抑止部９を、壁面２に当接される小径部９ａと、この小径部９ａの反壁面側に同軸状に連成された大径部９ｂと、を有した構成としている。
この抑止部９は、その挿通孔に挿通させた補強具８の一端側を壁下地４に捩じ込む（打ち込む）際に、小径部９ａの壁面２側に向く面が壁面２に当接され、補強具８の壁下地４側への移動を抑止する構成とされている。この抑止部９の壁面２側に向く面の面積（小径部９ａの径）は、補強具８の一端側を壁下地４に捩じ込む（打ち込む）際に、当該抑止部９が壁面材３に食い込まないように、また、外観上の観点等から適宜、設定するようにしてもよい。
なお、この抑止部９を、補強具８の頭部を収容凹所に受け入れさせて収容凹所の内周面に当接させた状態で、補強具８の頭部の表面と大径部９ｂの表面とが概ね同一平面状となるように形成してもよい。または、この抑止部９を、補強具８の頭部を収容凹所に受け入れさせて収容凹所の内周面に当接させた状態で、補強具８の頭部が大径部９ｂの表面に対して僅かに突出するように形成してもよい。例えば、抑止部９を、補強具８の頭部を収容凹所に受け入れさせて収容凹所の内周面に当接させた状態で、補強具８の頭部が大径部９ｂの表面よりも０．１ｍｍ〜１ｍｍ程度突出するように形成してもよい。
【００２１】
固定片部１６の位置決め凹所１８は、この補強具８の他端側に設けられた抑止部９を受け入れ可能なように形成されている。
また、本実施形態では、この位置決め凹所１８を、図３（ａ）に示すように、固定片部１６の下端縁において下方側に向けて開口し、上下方向に延びるように固定片部１６の下端部に設けている。また、本実施形態では、この位置決め凹所１８を、固定片部１６を厚さ方向に見て、固定片部１６の下端部の左右方向における略中央に設けている。
この位置決め凹所１８の左右方向に沿う寸法は、補強具８の他端部としての抑止部９の小径部９ａの径に応じた寸法とされている。本実施形態では、この位置決め凹所１８の左右方向に沿う寸法を、補強斜片部１２の厚さ寸法よりも大きい寸法としている。
また、この位置決め凹所１８の上下方向に沿う寸法は、補強具８の他端部としての抑止部９の小径部９ａの概ね半分以上を受け入れ可能な寸法としてもよいが、図例では、抑止部９の小径部９ａの全体を受け入れ可能な寸法としている。また、図例では、この位置決め凹所１８を、上下方向に長尺状（縦長状）とした例を示している。また、図例では、この位置決め凹所１８の最上部（下方側に向く凹底面）を、抑止部９の小径部９ａの径に応じた略半円弧形状とした例を示している。
【００２２】
また、本実施形態では、図２に示すように、固定片部１６の上下寸法を、支持片部１０の突出寸法よりも小さい寸法としている。この固定片部１６の上下寸法や幅寸法、厚さ寸法は、上記した支持片部１０と概ね同様の観点等から適宜、設定するようにしてもよい。例えば、固定片部１６の上下寸法を、支持片部１０の突出寸法の１／６〜２／３程度としてもよく、図例では、固定片部１６の上下寸法を、支持片部１０の突出寸法の１／３程度とした例を示している。また、固定片部１６の上下寸法を、固定片部１６の幅寸法の１．５倍程度とした例を示している。また、図例では、固定片部１６の厚さ寸法を、支持片部１０の厚さ寸法と同寸法とした例を示している。上記した抑止部９の小径部９ａの補強具８の軸方向に沿う寸法は、固定片部１６の厚さ寸法と略同寸法とされている。
また、本実施形態では、この固定片部１６と支持片部１０との入隅部にリブ１９を設けている。図例では、左右方向に間隔を空けて、支持片部１０及び固定片部１６の左右方向の中心からそれぞれに等距離となる位置にリブ１９，１９を設けた例を示している。
【００２３】
補強斜片部１２は、図２及び図３（ｂ）に示すように、支持片部１０と固定片部１６とを接続する方向に長尺な形状とされている。この補強斜片部１２は、図３に示すように、厚さ方向を左右方向に沿わせて配設される薄板状とされている。
また、本実施形態では、図２及び図３（ｂ）に示すように、補強斜片部１２の支持片部１０側の端部（支持片部側端部）１３を、支持片部１０の突出方向先端部に固定している。また、補強斜片部１２の固定片部側端部１４を、固定片部１６の下端部に固定している。つまり、上記のように、固定片部１６の上下寸法を、支持片部１０の突出寸法よりも小さい寸法とした本実施形態では、補強斜片部１２と支持片部１０とのなす角（内角）が、補強斜片部１２と固定片部１６とのなす角（内角）よりも小さくなる構成とされている。
【００２４】
また、本実施形態では、補強斜片部１２を、支持片部１０及び固定片部１６の左右方向の中心に位置するように設けている。
この補強斜片部１２の長さ寸法や幅寸法、厚さ寸法は、支持片部１０の突出寸法及び固定片部１６の上下寸法に応じて、また、上記同様の観点等から適宜、設定するようにしてもよい。本実施形態では、この補強斜片部１２の厚さ寸法を、支持片部１０及び固定片部１６の厚さ寸法よりも大きい寸法とした例を示している。この補強斜片部１２の厚さ寸法は、例えば、支持片部１０及び固定片部１６の１．５倍〜５倍程度としてもよく、図例では、２．５倍程度とした例を示している。
【００２５】
また、この補強斜片部１２は、支持片部１０及び固定片部１６とともに一体的に形成されたものとしてもよいが、支持片部１０及び固定片部１６とは別体とされた部材をこれらに固定して構成されたものとしてもよい。図例では、支持片部１０の突出方向先端部及び固定片部１６の下端部に設けられた凹所に、補強斜片部１２の支持片部側端部１３及び固定片部側端部１４を嵌め入れて固定した例を示している。
なお、補強斜片部１２の支持片部側端部１３及び固定片部側端部１４の各片部との固定位置は、上記した例に限られない。この補強斜片部１２の支持片部側端部１３は、支持片部１０の突出方向中央よりも突出方向先端側に固定するようにすればよく、また、補強斜片部１２の固定片部側端部１４は、固定片部１６の上下方向中央よりも下端側に固定するようにすればよい。
【００２６】
この補強斜片部１２の固定片部側端部１４の非接続部１５は、上述のように壁下地４に一端側が固定された補強具８の他端部としての抑止部９に当接される。この非接続部１５は、壁面２に平行状に形成されている。また、この非接続部１５を、補強具８の他端部としての抑止部９の少なくとも軸心部に当接される構成としてもよい。
本実施形態では、この非接続部１５を、固定片部１６の厚さ方向に見て、位置決め凹所１８に位置させた構造としている。つまり、固定片部１６の厚さ方向に見て、固定片部１６の左右方向略中央に設けられた位置決め凹所１８の左右方向中央に位置するように、非接続部１５を設けている。また、本実施形態では、非接続部１５を、固定片部１６の厚さ方向に見て、固定片部１６の下端縁よりも下方側に突出しないように設けた構成としている。また、図例では、非接続部１５を、固定片部１６の厚さ方向に見て、その下端部が補強具８の他端部としての抑止部９の軸心部に当接するように形成した例を示している。
【００２７】
また、本実施形態では、図１及び図２に示すように、非接続部１５を、抑止部９によって壁面２から突出した状態で一端側が壁下地４に固定された補強具８の他端部としての抑止部９（頭部）に当接するように形成している。つまり、壁面２と非接続部１５との間の固定片部１６の厚さ方向に沿う寸法を、抑止部９の同方向に沿う寸法と略同寸法としている。
また、図１（ｂ）に示すように、補強斜片部１２の固定片部側端部１４に、その非接続部１５の上側に連なるように、抑止部９の大径部９ｂを受け入れる切欠状の凹所を設けた例を示している。
なお、この補強斜片部１２の固定片部側端部１４における非接続部１５の上下方向に沿う寸法は、補強具８の他端部に安定的に当接させる観点や固定片部１６との接続強度等の観点から適宜、設定するようにしてもよい。例えば、この非接続部１５の上下方向に沿う寸法を、補強斜片部１２の固定片部側端部１４の上下方向に沿う寸法の１／２以下としてもよい。
【００２８】
また、上記した板状部材支持具１は、例えば、アルミニウムやステンレス、鉄、炭素鋼等の金属系材料や木質系材料、樹脂系材料等から形成されたものとしてもよい。また、板状部材支持具１は、適宜、曲げ加工や切削、打ち抜きや、鋳造成型等によって形成されたものとしてもよい。また、板状部材支持具１は、一体的に形成されたものとしてもよく、別部材とされた各片部を適宜、溶接等によって接合して形成されたものとしてもよい。
【００２９】
上記構成とされた板状部材支持具１は、例えば、以下のようにして施工するようにしてもよい。
まず、他端側に抑止部９が設けられた補強具８の一端側を壁下地４に固定する。この際、上述のように、抑止部９を壁面２に当接させる。
次いで、板状部材支持具１の固定片部１６を壁面２に沿わせ、固定片部１６の位置決め凹所１８に、補強具８の他端側としての抑止部９を受け入れさせるようにして板状部材支持具１の取付位置の位置決めを行うようにしてもよい。そして、板状部材支持具１の固定片部１６の各止具挿通孔１７を介して壁下地４に各止具７を止着し、板状部材支持具１を取り付けるようにしてもよい。この状態では、補強斜片部１２の非接続部１５が補強具８の他端側としての抑止部９に当接された状態となる。
【００３０】
なお、板状部材５の大きさ（左右寸法）や用途、板状部材５の耐荷重等に応じて、板状部材５の左右方向に沿って間隔を空けて複数箇所に板状部材支持具１を取り付けるようにしてもよい。
また、板状部材支持具１の支持片部１０の各止具挿通孔１１を介して板状部材５に各止具６を止着し、板状部材５を支持片部１０に固定するようにしてもよい。なお、この板状部材５は、板状部材支持具１を壁面２に沿わせて取り付けた後に支持片部１０に固定するようにしてもよく、または、板状部材支持具１を壁面２に沿わせて取り付ける前に支持片部１０に固定するようにしてもよい。
【００３１】
本実施形態に係る板状部材支持具１の取付構造及びこれを用いて取り付けられる板状部材支持具１は、上述のような構成としたことで、見栄えを向上させながらも、板状部材５を安定して支持することができる。
つまり、板状部材支持具１に、壁面２に沿うように配設される固定片部１６の下端側と板状部材５を支持する支持片部１０の突出方向先端側とを接続するように斜め状に補強斜片部１２を設けている。従って、補強斜片部１２によって支持片部１０の撓みを抑制することができる。
また、補強斜片部１２を、厚さ方向を左右方向に沿わせた構成としている。従って、例えば、厚さ方向を、左右方向及び当該補強斜片部１２の長手方向に直交する方向に沿わせたものと比べて、支持片部１０を介して補強斜片部１２に掛かる荷重に対する強度を向上させることができ、補強斜片部１２の変形等を抑制することができる。
【００３２】
また、壁面２を構成する壁面材３の裏面側に配設された壁下地４に一端側が固定された補強具８の他端側に、補強斜片部１２の固定片部１６とは非接続とされた非接続部１５を当接させた状態で板状部材支持具１を取り付ける構造としている。従って、固定片部１６の下端側を概ね支点として支持片部１０の先端側を下方側に向かわせようとする板状部材支持具１に作用するモーメントによって固定片部１６の下端側を壁面材３側に押し付ける方向へ作用する荷重を、壁下地４に固定された補強具８によって言わば突っ張り状に受けることができる。また、支持片部１０を介して荷重が多く掛けられる部位となる補強斜片部１２の固定片部側端部１４の下端部に補強具８が設けられることとなり、壁面材３側への上記荷重を、補強具８よって効果的に受けることができる。これにより、石膏ボード等のような比較的剛性の低い壁面材３によって構成された壁面２に沿わせて板状部材支持具１を取り付けた場合であっても、固定片部１６の壁面材３への食い込みを効果的に抑制することができ、板状部材５を安定して支持することできる。
また、これにより、壁面材３への食い込みを抑制すべく、固定片部１６を大きくする必要性が低減され、固定片部１６を効果的に小さくすることができ、見栄えを向上させることができる。
【００３３】
また、本実施形態では、固定片部１６の下端部に、補強具８の他端側を受け入れる切欠状の位置決め凹所１８を設け、固定片部１６の厚さ方向に見て、補強斜片部１２の非接続部１５を位置決め凹所１８に位置させた構造としている。従って、補強具８の他端側を固定片部１６の位置決め凹所１８に受け入れさせることで、補強斜片部１２の非接続部１５を補強具８の他端側に当接する位置に容易に位置付けることができる。なお、本実施形態では、位置決め凹所１８を、固定片部１６の下端縁において下方側に向けて開口し、上下方向に延びるように固定片部１６の下端部に設けた例を示しているが、このような態様に限られない。例えば、位置決め凹所１８を、固定片部１６の厚さ方向に見て、斜めに延びるように設けたり、左右方向に延びるように設けたりしてもよい。つまりは、固定片部１６の下端角部や左右端部において開口させるように位置決め凹所１８を設けたような構成としてもよい。さらには、このような位置決め凹所１８を設けないようにしてもよい。この場合は、固定片部１６の厚さ方向に見て、固定片部１６の下端縁よりも下方側に位置するように補強斜片部１２の非接続部１５を設けたような構成としてもよい。
【００３４】
また、本実施形態では、補強具８の他端側に、壁面２に当接されて当該補強具８の壁下地４側への移動を抑止する抑止部９を設けている。従って、補強具８の一端側を壁下地４に固定すべく補強具８を捩じ込む（打ち込む）際に、抑止部９によって当該補強具８の捩じ込み（打ち込み）方向への位置決めを容易に行うことができる。これにより、補強具８の他端側が補強斜片部１２の非接続部１５に当接し難くなったり、補強具８の他端側によって固定片部１６が壁面２から浮いた状態となったりするようなことを抑制することができ、補強具８の他端側を安定的に補強斜片部１２の非接続部１５に当接させることができる。なお、本実施形態では、抑止部９を、小径部９ａと大径部９ｂとを有した二段筒状とした例を示しているが、このようなものに限られず、段部を有さない筒状とされたものとしてもよい。また、抑止部９としては、略円筒形状とされたものに限られず、略多角筒形状や略スポーク形状等とされたものとしてもよい。また、本実施形態では、抑止部９を、補強具８とは別体とされたものとした例を示しているが、補強具８の他端部に一体的に設けられたものとしてもよい。この場合は、例えば、ねじ等の止具からなる補強具８の頭部を、抑止部９として把握するようにしてもよい。さらには、このような抑止部９を設けないようにしてもよい。この場合は、補強具８の他端側が補強斜片部１２の非接続部１５に当接するように適宜、補強具８の捩じ込み（打ち込み）方向への位置決めを行うようにすればよい。
【００３５】
また、本実施形態では、固定片部１６の上下寸法を、支持片部１０の突出寸法よりも小さい寸法としている。従って、固定片部１６を目立ち難くすることができる。また、このように固定片部１６を比較的に小さい寸法として見栄えを向上させながらも、上述のように、補強具８によって固定片部１６の壁面材３への食い込みを抑制することができる。
なお、このような態様に代えて、固定片部１６の上下寸法を、支持片部１０の突出寸法と概ね同寸法としたり、支持片部１０の突出寸法よりも大きい寸法としたりしてもよい。
【００３６】
また、本実施形態では、補強具８を、ねじや釘等の止具とした例を示しているが、このような態様に代えて、アンカー状（パイプ状）部材や棒状部材等としてもよい。この場合は、他端部に一端側よりも大径状とされた鍔状部を有したものとし、その鍔状部（他端部）を抑止部９として把握するようにしてもよい。
また、本実施形態では、非接続部１５を、壁面２から突出した状態で一端側が壁下地４に固定された補強具８の他端部に当接するように形成した例を示しているが、このような態様に限られない。例えば、補強具８の他端部の一部または全体が壁面材３に埋め込まれるような態様とし、非接続部１５を、この補強具８の他端部に当接するように形成してもよい。
【符号の説明】
【００３７】
１        板状部材支持具
１０      支持片部
１２      補強斜片部
１４      固定片部側端部（固定片部側の端部）
１５      非接続部
１６      固定片部
１８      位置決め凹所
２        壁面
３        壁面材
４        壁下地
５        板状部材
８        補強具
９        抑止部
【図１】
2015073771.tif 000003
【図２】
2015073771.tif 000004
【図３】
2015073771.tif 000005